(57)【特許請求の範囲】
【請求項１】
容器体口頸部に螺合させたキャップ状筒を下端に有する起立主筒からシリンダを、かつ上端から射出筒を、それぞれ前方突出し、又射出筒前部から垂設したトリガー上部へ、上記シリンダ内へ嵌合させたプランジャ前端部を係合させて、上記トリガーの操作で容器体内液体を吸上げ、射出筒の前端部外面へ回動可能に嵌合させたノズル筒から噴出可能とした、トリガー式の液体噴出容器において、
上記プランジャ係合部分下方のトリガー５部分に窓孔８を縦設しておき、軸９を曲部の左右両面から突出するクランク10を設けて、曲部から突出するクランクの第１腕11を窓孔下部から上外方へ、かつ曲部から突出するクランクの第２腕12を後方へ、それぞれ突設して上記窓孔８の下方のトリガー部分へ軸９を枢着させ、かつ第２腕12の後部上面に付設した係合突部13をシリンダ４の前端面下部へ、かつその係合突部後方の第２腕板後方部分12a を前端部の下面へ、それぞれ係合させ、
又上記ノズル筒７側面から垂下部22を介して係合板23を後方突出するロック部21を設けて、上記係合板から突設した受板24を第２腕12の下面へ係合させ、
上記ノズル筒７を回動させて受板24を第２腕12下面から外した状態から、更に軸９を中心としてクランク10を回動させることで第２腕12の係合突部13がシリンダ下方へ離脱し、該状態でのトリガーの引寄せ操作が可能とした
ことを特徴とするトリガー式液体噴出容器。
【請求項２】
容器体口頸部に螺合させたキャップ状筒を下端に有する起立主筒からシリンダを、かつ上端から射出筒を、それぞれ前方突出し、又射出筒前部から垂設したトリガー上部へ、上記シリンダ内へ嵌合させたプランジャ前端部を係合させて、上記トリガーの操作で容器体内液体を吸上げ、射出筒の前端部外面へ回動可能に嵌合させたノズル筒から噴出可能とし、又射出筒に対するノズル筒の回動で、射出筒が有する液体吐出路とノズル筒が有するノズル孔とが連通、遮断自在としたトリガー式の液体噴出容器において、
上記プランジャ係合部分下方のトリガー部分に窓孔８を縦設しておき、軸９を曲部の左右両面から突出するクランク10を設けて、曲部から突出するクランクの第１腕11を窓孔下部から上外方へ、かつ曲部から突出するクランクの第２腕12を後方へ、それぞれ突設して上記窓孔８の下方部分へ軸９を枢着させ、
かつ第２腕12の後部上面に付設した係合突部13をシリンダの前端面下部へ、かつその係合突部後方の第２腕板部分を前端部下面へ、それぞれ係合させ、
又上記ノズル筒７をノズル孔遮断位置においた状態で側面から垂下部22を介して係合板23を後方突出するロック部21を設けて、上記係合板から突設した受板24を第２腕12の下面へ係合させ、
上記ノズル筒７をノズル孔連通位置まで回動させたとき受板24が第２腕12下面から外れ、更にクランク10を、軸９を中心に回動させることで第２腕12の係合突部13がシリンダ下方へ離脱し、該状態でのトリガーの引寄せ操作が可能とした  ことを特徴とするトリガー式液体噴出容器。
【発明の詳細な説明】
【０００１】
【発明の属する技術分野】
本発明はトリガー式の液体噴出容器に関する。
【０００２】
【従来の技術】
例えば特開平 10-146548号が示すように、容器体口頸部へ嵌合させるキャップ状部から主筒を起立し、該主筒前面からシリンダを、主筒上端部から射出筒を、それぞれ前方突出し、又射出筒前部にノズル筒を嵌合させておき、射出筒前部に枢着させて垂下したトリガーの操作で上記シリンダ内へ嵌合されたプランジャが摺動して、容器体内液体が吸込み弁を介してシリンダ内へ吸込みされ、又該シリンダ内液体が吐出弁を介してノズル筒前壁に穿設したノズル孔から噴出するように、又射出筒に対するノズル筒の回動で、液体吐出路部分が連通し、又遮断するよう設けた液体噴出器が知られている。尚上記シリンダは射出筒の後部直下の主筒上方部分から斜下前方へ突出したものも知られており、シリンダを射出筒から下方へ垂設することも考えられている。
【０００３】
【発明が解決しようとする課題】
上記トリガー式の液体噴出容器は、射出筒に対してノズル筒を回して液体吐出路部分を連通させたり、遮断できるように設けているから、その液体吐出路部分を遮断させておけば、該状態でトリガーを引寄せ操作しようとしても、シリンダ内および射出筒内に入っている液体を放出できず、従ってトリガーを揺動させることが出来ず、ノズル筒が液体噴出の安全装置を構成するものであった。
【０００４】
しかし実際には、上記安全装置を行ったままでトリガーを引寄せ操作すると、トリガーが僅かに揺動して、その引寄せ操作の都度、プランジャが僅かに後退、前進して次第にシリンダ内および該シリンダから上記液体吐出路開閉部分までの液体吐出路部分内が高圧化し、そのためノズル筒を閉位置から開位置へ戻したとき、その高圧化していた液体が、トリガー操作を行っていないに拘らずノズル孔から噴出することがあった。
【０００５】
上記欠点を除去するために、ノズル筒側面からロック部を突設してノズル筒を液体吐出路遮断位置、即ち閉位置へ回したとき、そのロック部が有する係合部がトリガーの後面へ係合するよう設けることが考えられるが、このようにすると誤ってトリガーを引いたとき、ロック部を介してノズル筒が下後方へ引かれることとなるため射出筒先端部に対するノズル筒の嵌合が不完全となってガタ付きを生じ易い等の影響が考えられる。
【０００６】
請求項１記載の本発明は、上記液体吐出路を連通させたり遮断させたりする、ノズル筒回動による切換えとは無関係に、トリガーのロックをノズル筒に影響を及ぼすことなく、行えるようにすることであり、又請求項２記載の発明は、既述のように吐出路の連通と遮断、つまり開閉の切換えをノズル筒回動により行えるよう設けた液体噴出容器において、ノズル筒に影響を及ぼすことなく、トリガーのロックが行えるよう設けたものである。
【０００７】
【課題を解決するための手段】
第１の手段として容器体口頸部に螺合させたキャップ状筒を下端に有する起立主筒からシリンダを、かつ上端から射出筒を、それぞれ前方突出し、又射出筒前部から垂設したトリガー上部へ、上記シリンダ内へ嵌合させたプランジャ前端部を係合させて、上記トリガーの操作で容器体内液体を吸上げ、射出筒の前端部外面へ回動可能に嵌合させたノズル筒から噴出可能とした、トリガー式の液体噴出容器において、
上記プランジャ係合部分下方のトリガー５部分に窓孔８を縦設しておき、軸９を曲部の左右両面から突出するクランク10を設けて、曲部から突出するクランクの第１腕11を窓孔下部から上外方へ、かつ曲部から突出するクランクの第２腕12を後方へ、それぞれ突設して上記窓孔８の下方のトリガー部分へ軸９を枢着させ、かつ第２腕12の後部上面に付設した係合突部13をシリンダ４の前端面下部へ、かつその係合突部後方の第２腕板後方部分12a を前端部の下面へ、それぞれ係合させ、
又上記ノズル筒７側面から垂下部22を介して係合板23を後方突出するロック部21を設けて、上記係合板から突設した受板24を第２腕12の下面へ係合させ、
上記ノズル筒７を回動させて受板24を第２腕12下面から外した状態から、更に軸９を中心としてクランク10を回動させることで第２腕12の係合突部13がシリンダ下方へ離脱し、該状態でのトリガーの引寄せ操作が可能とした。
【０００８】
第２の手段として容器体口頸部に螺合させたキャップ状筒を下端に有する起立主筒からシリンダを、かつ上端から射出筒を、それぞれ前方突出し、又射出筒前部から垂設したトリガー上部へ、上記シリンダ内へ嵌合させたプランジャ前端部を係合させて、上記トリガーの操作で容器体内液体を吸上げ、射出筒の前端部外面へ回動可能に嵌合させたノズル筒から噴出可能とし、又射出筒に対するノズル筒の回動で、射出筒が有する液体吐出路とノズル筒が有するノズル孔とが連通、遮断自在としたトリガー式の液体噴出容器において、
上記プランジャ係合部分下方のトリガー部分に窓孔８を縦設しておき、軸９を曲部の左右両面から突出するクランク10を設けて、曲部から突出するクランクの第１腕11を窓孔下部から上外方へ、かつ曲部から突出するクランクの第２腕12を後方へ、それぞれ突設して上記窓孔８の下方部分へ軸９を枢着させ、
かつ第２腕12の後部上面に付設した係合突部13をシリンダの前端面下部へ、かつその係合突部後方の第２腕板部分を前端部下面へ、それぞれ係合させ、
又上記ノズル筒７をノズル孔遮断位置においた状態で側面から垂下部22を介して係合板23を後方突出するロック部21を設けて、上記係合板から突設した受板24を第２腕12の下面へ係合させ、
上記ノズル筒７をノズル孔連通位置まで回動させたとき受板24が第２腕12下面から外れ、更にクランク10を、軸９を中心に回動させることで第２腕12の係合突部13がシリンダ下方へ離脱し、該状態でのトリガーの引寄せ操作が可能とした。
【０００９】
【発明の実施の形態】
以下図面について説明すると、１は通常使用されている公知のトリガー式液体噴出容器で、簡単に説明すると容器体２の口頸部に螺合させたキャップ状筒３を下端に有する起立主筒からシリンダ４をかつ起立主筒上端から射出筒を、それぞれ前方突出し、又射出筒前部に枢着させて垂下するトリガー５上部の後部へ、上記シリンダ内へ前方付勢させて嵌合させたプランジャ６前端部を係合させ、上記トリガーの操作で容器体内液体を吸込み弁を介してシリンダ内へ吸込み、又該シリンダ内液体を吐出弁を介して射出筒前端へ回動可能に設けたノズル筒７のノズル孔から噴出可能とするものである。尚図示例では起立主筒、射出筒、シリンダ外面をカバー14で覆合している。射出筒の吐出路とノズル筒７のノズル孔とは、射出筒に対するノズル筒の回動によって連通されたり、又遮断されたりするよう設けてもよく、又それ等吐出路とノズル孔とはノズル筒の回動と無関係に常に連通させたものでもよい。
【００１０】
図示例においてトリガー５は、前壁5aの左右両側から側板5b，5bを後方へ突出する横断面コ字形状に形成させてあって、上記プランジャ６係合部分の直ぐ下方の前壁部分に窓孔８を縦設している。又該窓孔８下部後方の側板5b，5b間には、軸９を曲部の左右両面から突出するクランク10を、その曲部から突出する第１腕11を窓孔下部から上外方へ、又曲部から突出する第２腕12を後方へ、それぞれ突設させて設け、その軸９を側板5b，5bに枢着させる。そのクランク10は軸９を中心として回動可能とし、図１が示すように第１腕11を上外方へ突出させた状態では、第２腕12の後部上面へ付設した係合突部13がシリンダ４の前端面下部へ、又その係合突部13後方の第２腕後方部分12a はシリンダの前端部下面へ、それぞれ係合して、該状態ではトリガー５の後方引寄せ操作が不能となるよう設けている。又図３が示すようにシリンダ前端面下部への係合突部13の係合を外すと、クランクが軸９を中心に回動して、第１腕11の先端部が窓孔８の上端縁へ係合し、該状態ではトリガー５の引寄せ操作が可能としている。
【００１１】
21は、既述ノズル筒７の側面から垂下部22を介して係合板23を後方突出するロック部で、その係合板23からは、第２腕12の係合突部13後面をシリンダ前端面の下部へ係合させた状態で、第２腕12下方へ受板24を突出する。図示例ではその受板上面から突部25を突設し、該突部上面で第２腕12下面を支持させ、クランク10によるトリガーロック状態を保持させている。
【００１２】
既述のように射出筒の吐出路とノズル筒のノズル孔とを、射出筒に対するノズル筒の回動によって連通させたり、遮断させたりできるよう設けた場合は、ノズル筒がその遮断位置にあるとき、ロック部21は垂下してクランクを介してトリガーをロックし、ノズル筒を連通位置まで回したとき、図４のようにロック部21は上方へ移動するよう設ける。
【００１３】
【発明の効果】
本発明は既述構成とするもので、トリガーに枢着させたクランク10の第２腕12が有する係合突部13をシリンダ４の前端面下部へ係合させると共に、ノズル筒７側面から垂下したロック部21の係合板23を上記クランクの第２腕12下面へ係合させたから、トリガー引寄せの防止はクランク10だけが行うこととなり、ノズル筒から垂設されたロック部21は上記第２腕12がシリンダから外れないようにするだけであるから、ロック状態においてトリガーを引寄せても、そのためその力はクランクに伝わるだけでロック部を介してノズル筒に伝わることはなく、よってノズル筒が影響を受けることはない。又シリンダ前端面下部へ係合突部13を係合させている第２腕12下面をロック部の受板24で支持させたから、その受板を外さない限り第２腕の係合突部13がシリンダ前端面下部から外れることがない。
【００１４】
請求項２の場合は、射出筒に対するノズル筒の回動で、吐出路が開閉自在とし、上記第２腕下面をロック部の受板24が支持するとき、ノズル筒７は吐出路閉位置にあるよう設けたから、ノズル筒が有するノズル孔からの液洩れを確実に防止でき、又ロック部を外したとき、ノズル筒も回動して吐出路を開状態とするため、トリガー操作が便利である。
【図面の簡単な説明】
【図１】  一部を切欠いて示す、本発明液体噴出容器の側面図である。
【図２】  図１容器の斜視図である。
【図３】  図１容器のロックを解除して示す、一部切欠きの側面図である。
【図４】  図３容器の斜視図である。
【符号の説明】
５…トリガー              ８…窓孔
10…クランク              21…ロック部
23…係合板                24…受板
【図１】
0003751456.tif 000002
【図２】
0003751456.tif 000003
【図３】
0003751456.tif 000004
【図４】
0003751456.tif 000005